(57)【要約】【課題】本発明は、低消費電力化を実現するためのディスク装置を提供することを目的とする。【解決手段】ドライバＩＣ１において、ローディングモータ４を駆動制御するときにマイコン２より供給されるバイアス電圧が入力されるバイアス端子２０ａと、フォーカスコイル５及びトラッキングコイル６及びスレッドモータ７及びスピンドルモータ８を駆動制御するときにＤＳＰ３より供給されるバイアス端子２０ｂが備えられる。【選択図】      図１
2004253081.tif 000002
【特許請求の範囲】
【請求項１】
データが記憶されたディスクを所定位置に移送するローディング機構と、前記ディスクに記憶されたデータのデータ位置を指定するデータ位置指定機構と、該データ位置指定機構を制御するための信号処理を行う信号処理部と、前記ローディング機構を駆動制御するローディング制御部と前記データ位置指定機構を駆動制御するデータ位置指定制御部とを備えるドライバ部と、前記信号処理部及び前記ドライバ部の動作制御を含む装置全体の動作制御を行う主制御部と、を有するディスク装置において、
前記ドライバ部が、
前記ローディング制御部の動作用のバイアス電圧が入力される第１バイアス入力端子と、
前記主制御部より前記ローディング制御部に与える制御信号が入力される第１信号入力端子と、
前記データ位置指定制御部の動作用のバイアス電圧が入力される第２バイアス入力端子と、
前記信号処理部より前記データ位置指定制御部に与える制御信号が入力される第２信号入力端子と、を備え、
前記ローディング機構を動作させてローディング動作が行われるとき、前記主制御部から前記第１バイアス入力端子へバイアス入力するとともに、前記信号処理部の動作を停止することを特徴とするディスク装置。
【請求項２】
データが記憶されたディスクを所定位置に移送するローディング機構と、前記ディスクに記憶されたデータのデータ位置を指定するデータ位置指定機構と、該データ位置指定機構を制御するための信号処理を行う信号処理部と、前記ローディング機構及び前記データ位置指定機構に対して共通に使用されるとともに当該両機構を駆動する動力を発生するモータと、前記ローディング機構及び前記データ位置指定機構を駆動制御するドライバ部と、前記信号処理部及び前記ドライバ部の動作制御を含む装置全体の動作制御を行う主制御部と、を有するディスク装置において、
前記ドライバ部が、
前記モータを駆動制御するモータ制御部と、
前記データ位置指定機構の前記モータの動力以外で駆動する駆動機構を駆動制御するデータ位置指定制御部と、
前記ローディング機構動作時における前記モータ用の第１制御信号が前記主制御部より入力される第１信号入力端子と、
前記データ位置指定機構動作時における前記モータ用の第２制御信号が前記信号処理回路より入力される第２信号入力端子と、
前記データ位置指定制御部に与える第３制御信号が前記信号処理回路より入力される第３信号入力端子と、
前記第１信号入力端子からの前記第１制御信号と前記第２信号入力端子からの前記第２制御信号とから選択した制御信号を前記モータ制御部に与える制御信号選択部と、
前記ローディング機構動作時に前記第１制御信号を選択するとともに前記データ位置指定機構動作時に前記第２制御信号を選択するように前記制御信号選択部を動作させるコントロール信号が入力されるコントロール端子と、を備えることを特徴とするディスク装置。
【発明の詳細な説明】
【０００１】
【発明の属する技術分野】
本発明は、光ディスクや光磁気ディスクの記録・再生を行うディスク装置に関するもので、光ピックアップなどのデータ位置指定駆動機構及びローディング機構を駆動制御するドライバＩＣを備えたディスク装置に関する。
【０００２】
【従来の技術】
従来より、光ディスクや光磁気ディスクのディスク装置において、自動的にディスクの入れ替えや排出などのローディングを行う自動ローディング機構を備えたものが存在している。又、このような自動ローディング機構を備えるものの中には、複数のディスクが設置されて、この複数のディスクから再生機構に移送するディスクを選択して自動ローディング機構により自動的に移送するものも提供されている。
【０００３】
この複数のディスクから１枚のディスクを選択して記録・再生を行うディスク装置において、別のディスクへの記録動作時にディスクの排出指示があると、書き込み動作が停止しているときに排出動作を行うことで排出動作と記録動作が重なることを防いで消費電力を抑制したものが提案されている（特許文献１参照）。このようなディスク装置において、ディスクの排出や入れ替えなどを含むローディング動作時の移送機構の制御及び記録・再生時のスピンドルモータやスレッドモータの制御を行うためのドライバＩＣ（Ｉｎｔｅｇｒａｔｅｄ  Ｃｉｒｃｕｉｔ）が、図４のように構成される。
【０００４】
図４のドライバＩＣ１００は、ローディング機構に備えられるローディングモータ４を制御するローディングドライバ１０１と、光ピックアップ１０の対物レンズ１０ａをディスク１１のディスク面に対して垂直方向に移動させるフォーカスコイル５への電流量を制御するフォーカスドライバ１０２と、光ピックアップ１０の対物レンズ１０ａをディスク１１の径方向に移動させるトラッキングコイル６への電流量を制御するトラッキングドライバ１０３と、光ピックアップ１０を中間伝達手段（不図示）を利用してディスク１１の径方向に移動させるスレッドモータ７を駆動制御するスレッドドライバ１０４と、ディスク１１を周方向に回転させるスピンドルモータ８を駆動制御するスピンドルドライバ１０５とを備える。
【０００５】
このようなドライバＩＣ１００を備えた光ディスク装置において、装置全体の制御を行うマイコン２からローディングモータ４の動作が指示されるローディング制御信号が信号入力端子１０６を通じてローディングドライバ１０２に入力される。又、光ディスク１１からの信号が光ピックアップ１０及びＲＦアンプ９を通じて、トラッキングエラー信号及びフォーカスエラー信号としてＤＳＰ（Ｄｉｇｉｔａｌ  Ｓｉｇｎａｌ  Ｐｒｏｃｅｓｓｏｒ）３に入力され、このＤＳＰ３によって記録・再生時の動作制御が行われる。
【０００６】
そして、ＤＳＰ３からフォーカスコイル５及びトラッキングコイル６及びスレッドモータ７及びスピンドルモータ８それぞれの動作が指示されるフォーカス制御信号及びトラッキング制御信号及びスレッド制御信号及びスピンドル制御信号が、信号入力端子１０７〜１１０を通じて、フォーカスドライバ１０２及びトラッキングドライバ１０３及びスレッドドライバ１０４及びスピンドルドライバ１０５に入力される。更に、バイアス電圧が、このＤＳＰ３よりバイアス端子１１１を通じて、ローディングドライバ１０１及びフォーカスドライバ１０２及びトラッキングドライバ１０３及びスレッドドライバ１０４及びスピンドルドライバ１０５に供給される。
【０００７】
【特許文献１】
特開平１１−２８３３０９号公報
【０００８】
【発明が解決しようとする課題】
しかしながら、図４のようなドライバＩＣ１００が構成されるとき、ローディング動作を行うとき、ＤＳＰ３より制御信号が与えられるフォーカスドライバ１０２及びトラッキングドライバ１０３及びスレッドドライバ１０４及びスピンドルドライバ１０５は停止されるが、ローディングドライバ１０１に対してバイアス電圧を供給して動作させなければならない。このように、マイコン２より制御信号が与えられるローディングドライバ１０１にバイアス電圧を供給するためにＤＳＰ３を動作させる必要があるため、ローディング動作時においてもＤＳＰ３に対して電力供給する必要があり、低消費電力化の妨げとなる。
【０００９】
このような問題を鑑みて、本発明は、低消費電力化を実現するためのディスク装置を提供することを目的とする。
【００１０】
【課題を解決するための手段】
上記目的を達成するために、本発明のディスク装置は、データが記憶されたディスクを所定位置に移送するローディング機構と、前記ディスクに記憶されたデータのデータ位置を指定するデータ位置指定機構と、該データ位置指定機構を制御するための信号処理を行う信号処理部と、前記ローディング機構を駆動制御するローディング制御部と前記データ位置指定機構を駆動制御するデータ位置指定制御部とを備えるドライバ部と、前記信号処理部及び前記ドライバ部の動作制御を含む装置全体の動作制御を行う主制御部と、を有するディスク装置において、前記ドライバ部が、前記ローディング制御部の動作用のバイアス電圧が入力される第１バイアス入力端子と、前記主制御部より前記ローディング制御部に与える制御信号が入力される第１信号入力端子と、前記データ位置指定制御部の動作用のバイアス電圧が入力される第２バイアス入力端子と、前記信号処理部より前記データ位置指定制御部に与える制御信号が入力される第２信号入力端子と、を備え、前記ローディング機構を動作させてローディング動作が行われるとき、前記主制御部から前記第１バイアス入力端子へバイアス入力するとともに、前記信号処理部の動作を停止することを特徴とする。
【００１１】
このようなディスク装置において、前記データ位置指定機構を光ピックアップとしたとき、前記データ位置指定制御部として、前記光ピックアップの対物レンズを前記ディスクのディスク面に対して垂直に移動させるフォーカスコイルを駆動制御するフォーカスドライバ、前記対物レンズを前記ディスクの径方向に移動させるトラッキングコイルを駆動制御するトラッキングドライバ、前記光ピックアップを前記ディスクの径方向に間接的に移動させるスレッドモータを駆動制御するスレッドドライバ、及び、前記ディスクを周方向に回転させるスピンドルモータを駆動制御するスピンドルドライバの内の少なくとも１つを備え、前記第２信号入力端子が、前記フォーカスドライバ及び前記トラッキングドライバ及び前記スレッドドライバ及び前記スピンドルドライバの内の前記データ位置指定制御部に備えられたドライバに与えられる制御信号が入力されるそのドライバ数に応じた端子により構成される。又、前記ローディング制御部が前記ローディング機構に備えられるローディングモータを駆動制御するとともに前記第１信号入力端子からの制御信号が与えられるローディングドライバを備える。
【００１２】
このような構成において、前記ローディングドライバに与える制御信号を増幅する第１アンプと、前記フォーカスドライバ及び前記トラッキングドライバ及び前記スレッドドライバ及び前記スピンドルドライバの内の前記データ位置指定制御部に備えられたドライバに与える制御信号を増幅する第２アンプを備え、前記第１アンプに前記第１バイアス端子からのバイアス電圧がリファレンス電圧として供給されるとともに、前記第２アンプに前記第２バイアス端子からのバイアス電圧がリファレンス電圧として供給される。
【００１３】
又、本発明のディスク装置は、データが記憶されたディスクを所定位置に移送するローディング機構と、前記ディスクに記憶されたデータのデータ位置を指定するデータ位置指定機構と、該データ位置指定機構を制御するための信号処理を行う信号処理部と、前記ローディング機構及び前記データ位置指定機構に対して共通に使用されるとともに当該両機構を駆動する動力を発生するモータと、前記ローディング機構及び前記データ位置指定機構を駆動制御するドライバ部と、前記信号処理部及び前記ドライバ部の動作制御を含む装置全体の動作制御を行う主制御部と、を有するディスク装置において、前記ドライバ部が、前記モータを駆動制御するモータ制御部と、前記データ位置指定機構の前記モータの動力以外で駆動する駆動機構を駆動制御するデータ位置指定制御部と、前記ローディング機構動作時における前記モータ用の第１制御信号が前記主制御部より入力される第１信号入力端子と、前記データ位置指定機構動作時における前記モータ用の第２制御信号が前記信号処理回路より入力される第２信号入力端子と、前記データ位置指定制御部に与える第３制御信号が前記信号処理回路より入力される第３信号入力端子と、前記第１信号入力端子からの前記第１制御信号と前記第２信号入力端子からの前記第２制御信号とから選択した制御信号を前記モータ制御部に与える制御信号選択部と、前記ローディング機構動作時に前記第１制御信号を選択するとともに前記データ位置指定機構動作時に前記第２制御信号を選択するように前記制御信号選択部を動作させるコントロール信号が入力されるコントロール端子と、を備えることを特徴とする。
【００１４】
このようなディスク装置において、前記制御信号選択部が、前記コントロール信号に基づいて前記制御信号を選択する際に、選択した前記制御信号に応じて当該制御信号を増幅する増幅率を切り換える。
【００１５】
又、このようなディスク装置において、前記データ位置指定機構を光ピックアップとしたとき、前記データ位置指定制御部として、前記光ピックアップの対物レンズを前記ディスクのディスク面に対して垂直に移動させるフォーカスコイルを駆動制御するフォーカスドライバ、前記対物レンズを前記ディスクの径方向に移動させるトラッキングコイルを駆動制御するトラッキングドライバ、前記ディスクを周方向に回転させるスピンドルモータを駆動制御するスピンドルドライバの内の少なくとも１つを備え、を備え、又、前記モータ制御部が、前記光ピックアップを前記ディスクの径方向に間接的に移動させるとともに前記ローディング動作を間接的に行うスレッドモータを駆動制御するスレッドドライバによって構成され、前記第３信号入力端子が、前記フォーカスドライバ及び前記トラッキングドライバ及び前記スピンドルドライバの内の前記データ位置指定制御部に備えられたドライバに与えられる制御信号が入力されるそのドライバ数に応じた端子により構成される。
【００１６】
そして、前記制御信号選択部が、前記第１制御信号を増幅する第１アンプと、前記第２制御信号を増幅する第２アンプと、を備えるとともに、当該第１、第２アンプからの出力を選択して前記スレッドドライバに出力し、前記データ位置指定制御部が、前記フォーカスドライバ及び前記トラッキングドライバ及び前記スピンドルドライバの内の前記データ位置指定制御部に備えられたドライバに与える制御信号を増幅する第３アンプを備える。
【００１７】
又、ディスク装置が、前記主制御部から供給されるバイアス電圧が入力される第１バイアス端子と、前記信号処理回路から供給されるバイアス電圧が入力される第２バイアス端子とを備え、前記第２バイアス端子に入力されたバイアス電圧が前記データ位置指定制御部に与えられるとともに、前記制御信号選択部が、前記第１制御信号を選択するとき、前記第１バイアス端子に入力されたバイアス電圧を選択し、又、前記第２制御信号を選択するとき、前記第２バイアス端子に入力されたバイアス電圧を選択し、前記ローディング動作が行われるとき、前記信号処理回路が動作停止とされて、前記信号処理回路からのバイアス電圧及び前記第２制御信号及び前記第３制御信号が前記第２バイアス入力端子及び前記第２信号入力端子及び前記第３信号入力端子に入力されない。
【００１８】
このとき、前記第１アンプに前記第１バイアス端子からのバイアス電圧がリファレンス電圧として供給されるとともに、前記第２及び第３アンプに前記第２バイアス端子からのバイアス電圧がリファレンス電圧として供給される。
【００１９】
又、ディスク装置が、前記信号処理回路から供給されるバイアス電圧が入力されるバイアス端子とを備え、前記バイアス端子に入力されたバイアス電圧が前記データ位置指定制御部に与えられるとともに、前記制御信号選択部が、前記第２制御信号を選択するとき、前記バイアス端子に入力されたバイアス電圧を選択し、前記ローディング動作が行われるとき、前記信号処理回路が動作停止とされて、前記信号処理回路からのバイアス電圧及び前記第２制御信号及び前記第３制御信号が前記第２バイアス入力端子及び前記第２信号入力端子及び前記第３信号入力端子に入力されない。
【００２０】
このとき、前記第１アンプに前記ドライバ部内部に備えたリファレンス電圧が供給されるとともに、前記第２及び第３アンプに前記バイアス端子からのバイアス電圧がリファレンス電圧として供給される。
【００２１】
【発明の実施の形態】
＜第１の実施形態＞
本発明の第１の実施形態を、図面を参照して以下に説明する。図１は、本実施形態の光ディスク装置の内部構成を示すブロック図である。尚、図１の光ディスク装置において、図４の光ディスク装置と同一の部分については同一の符号を付す。
【００２２】
図１の光ディスク装置内のドライバＩＣ１は、マイコン２からローディング動作時のバイアス電圧が供給されるバイアス端子２０ａと、ＤＳＰ３から記録・再生動作時のバイアス電圧が供給されるバイアス端子２０ｂと、マイコン２からローディングモータ４を駆動制御するための制御信号が入力される信号入力端子２１ａと、ＤＳＰ３からフォーカスコイル５及びトラッキングコイル６及びスレッドモータ７及びスピンドルモータ８それぞれを駆動制御するための制御信号が入力される信号入力端子２１ｂ〜２１ｅと、信号入力端子２１ａ〜２１ｅからの制御信号が反転入力端子に入力されるアンプ２２ａ〜２２ｅと、を備える。
【００２３】
更に、ドライバＩＣ１は、アンプ２２ａからの出力に基づいてローディングモータ４を駆動制御するローディングドライバ２３ａと、アンプ２２ｂからの出力に基づいてフォーカスコイル５への電流量を制御するフォーカスドライバ２３ｂと、アンプ２２ｃからの出力に基づいてトラッキングコイル６への電流量を制御するトラッキングドライバ２３ｃと、アンプ２２ｄからの出力に基づいてスレッドモータ７を駆動制御するスレッドドライバ２３ｄと、アンプ２２ｅからの出力に基づいてスピンドルモータ８を駆動制御するスピンドルドライバ２３ｅとを備える。
【００２４】
又、このドライバＩＣ１において、アンプ２２ａの非反転入力端子には、リファレンス電圧として、バイアス端子２０ａから入力されるマイコン２からのバイアス電圧が供給されるとともに、アンプ２２ｂ〜２２ｅの非反転入力端子には、リファレンス電圧として、バイアス端子２０ｂから入力されるＤＳＰ３からのバイアス電圧が供給される。
【００２５】
このようにドライバＩＣ１が構成されるとき、ディスク１１の切り換えや排出などのローディング動作の指示がマイコン２に入力されると、マイコン２よりローディング動作を行うための制御信号が出力されるとともにバイアス電圧が供給される。そして、ドライバＩＣ１には、マイコン２からのバイアス電圧がバイアス端子２０ａに供給されるとともに、マイコン２からの制御信号が信号入力端子２１ａに入力される。このとき、ＤＳＰ３は停止状態とされ、ＤＳＰ３から制御信号の出力及びバイアス電圧の供給は行われない。よって、バイアス端子２０ｂにはバイアス電圧が供給されず、又、信号入力端子２１ｂ〜２１ｅには制御信号が入力されることがない。
【００２６】
このようにバイアス電圧がバイアス端子２０ａのみに供給されるとともに制御信号が信号入力端子２１ａのみに与えられるとき、アンプ２２ａがバイアス端子２０ａからのバイアス電圧をリファレンス電圧として利用して信号入力端子２１ａからの制御信号を増幅する。そして、アンプ２２ａで増幅された制御信号に基づいて、ローディングドライバ２３ａが動作することによって、ローディングモータ４が駆動制御されてローディング動作が行われる。
【００２７】
又、記録動作又は再生動作の指示がマイコン２に入力されると、マイコン２によってＤＳＰ３が動作するように制御される。そして、ＤＳＰ３が動作開始してバイアス電圧をドライバＩＣ１のバイアス端子２０ｂに供給するとともに、ディスク１１からの反射光を光ピックアップ１０が受光してデータ信号に変換してＲＦアンプ９に与える。このＲＦアンプ９では、光ピックアップ１０より入力されたデータ信号からトラッキングエラー信号及びフォーカスエラー信号が生成されてＤＳＰ３に与えられる。又、マイコン２からは、バイアス端子２０ａへのバイアス電圧の供給及び信号入力端子２１ａへの制御信号の出力が停止される。
【００２８】
そして、ＤＳＰ３において、トラッキングエラー信号及びフォーカスエラー信号に基づいて、フォーカスコイル５及びトラッキングコイル６及びスレッドモータ７及びスピンドルモータ８それぞれに対する制御信号を生成して、信号入力端子２１ｂ〜２１ｅに出力する。よって、アンプ２２ｂ〜２２ｅがバイアス端子２０ｂからのバイアス電圧をリファレンス電圧として利用して信号入力端子２１ｂ〜２１ｅからの制御信号を増幅する。
【００２９】
そして、アンプ２２ｂ〜２２ｅで増幅された制御信号に基づいて、フォーカスドライバ２３ｂ及びトラッキングドライバ２３ｃ及びスレッドドライバ２３ｄ及びスピンドルドライバ２３ｅそれぞれが動作することによって、フォーカスコイル５及びトラッキングコイル６及びスレッドモータ７及びスピンドルモータ８が駆動制御される。このように動作することで、再生動作又は記録動作時において、ディスク１１上の目的とするトラックへ光ピックアップ１０からレーザ光を入射することができる。
【００３０】
このように構成することで、ローディング動作を行うときは、ＤＳＰ３の動作を停止させることができるため、ＤＳＰ３による消費電力を低減することができる。
【００３１】
＜第２の実施形態＞
本発明の第２の実施形態を、図面を参照して以下に説明する。図２は、本実施形態の光ディスク装置の内部構成を示すブロック図である。尚、図２の光ディスク装置において、図１の光ディスク装置と同一の部分については同一の符号を付す。
【００３２】
図２の光ディスク装置は、スレッドモータ７をローディング動作時のモータとしても使用するようにして、図１の光ディスク装置からローディングモータ４を削除した構成となっている。又、この光ディスク装置において、ドライバＩＣ１ａは、図１のドライバＩＣ１よりローディングドライバ２３ａを削除するとともに、アンプ２２ａ及びアンプ２２ｄからの出力を選択してスレッドドライバ２３ｄに送出する選択スイッチＳＷが付加された構成としている。又、選択スイッチＳＷにはマイコン２より接点の切り換えが制御されるコントロール信号が与えられ、このコントロール信号が入力されるコントロール端子２４がドライバＩＣ１ａに設けられる。
【００３３】
又、図２の光ディスク装置は、スレッドモータ７からの動力をローディング機構に伝達するか又は光ピックアップ１０の移動機構に伝達するかを選択するための動力選択部１２を備え、マイコン２からのコントロール信号が動力選択部１２に与えられて、スレッドモータ７からの動力が光ピックアップ１０の移動機構に伝達されるか又はローディング機構に伝達されるかが設定される。
【００３４】
このようにドライバＩＣ１ａが構成されるとき、ローディング動作の指示がマイコン２に入力されると、第１の実施形態と同様、ドライバＩＣ１ａのバイアス端子２０ａ及び信号入力端子２１ａそれぞれに、マイコン２からのバイアス電圧及び制御信号が入力される。このとき、ＤＳＰ３は停止状態とされ、ＤＳＰ３から制御信号の出力及びバイアス電圧の供給は行われない。又、コントロール信号により動力選択部１２がスレッドモータ７の動力をローディング機構に伝達するように指示されることによって、ローディング機構が動作するように設定される。更に、マイコン２からドライバＩＣ１ａのコントロール端子２４に入力されるコントロール信号により、スイッチＳＷが接点ａ側に接続されて、アンプ２２ａからの出力がスレッドドライバ２３ｄの入力に接続される。
【００３５】
このようにバイアス電圧がバイアス端子２０ａのみに供給されるとともに制御信号が信号入力端子２１ａのみに与えられるとき、アンプ２２ａで増幅された制御信号に基づいて、スレッドドライバ２３ｄが動作することによって、スレッドモータ７が駆動制御される。このとき、スレッドモータ７の動力がローディング機構に伝達されてローディング機構が動作することにより、ローディング動作が行われる。
【００３６】
又、記録動作又は再生動作の指示がマイコン２に入力されると、マイコン２によってＤＳＰ３が動作するように制御される。又、コントロール信号により動力選択部１２がスレッドモータ７の動力を光ピックアップ１０の移動機構に伝達するように指示されることによって、スレッドモータ７によって光ピックアップ１０が移動するように設定される。更に、マイコン２からドライバＩＣ１ａのコントロール端子２４に入力されるコントロール信号により、スイッチＳＷが接点ｂ側に接続されて、アンプ２２ｄからの出力がスレッドドライバ２３ｄの入力に接続される。
【００３７】
そして、第１の実施形態と同様、ＤＳＰ３が動作開始してバイアス電圧をドライバＩＣ１のバイアス端子２０ｂに供給するとともに、ＲＦアンプ９からのトラッキングエラー信号及びフォーカスエラー信号に基づいて、フォーカスコイル５及びトラッキングコイル６及びスレッドモータ７及びスピンドルモータ８それぞれに対する制御信号を生成して、信号入力端子２１ｂ〜２１ｅに出力する。
【００３８】
よって、アンプ２２ｂ〜２２ｅがバイアス端子２０ｂからのバイアス電圧をリファレンス電圧として利用して信号入力端子２１ｂ〜２１ｅからの制御信号を増幅し、フォーカスドライバ２３ｂ及びトラッキングドライバ２３ｃ及びスレッドドライバ２３ｄ及びスピンドルドライバ２３ｅそれぞれに与える。そのため、第１の実施形態と同様、フォーカスコイル５及びトラッキングコイル６及びスレッドモータ７及びスピンドルモータ８が駆動制御され、ディスク１１上の目的とするトラックへ光ピックアップ１０からレーザ光が入射される。
【００３９】
このように構成することで、ローディング動作を行うときは、ＤＳＰ３の動作を停止させることができるため、ＤＳＰ３による消費電力を低減することができる。又、スレッドモータでローディング動作をさせることができるため、このドライバＩＣを備えた光ディスク装置を小型化することができる。
【００４０】
又、本実施形態において、ローディングを行う際に用いるアンプ２２ａのリファレンス電圧として、マイコン２より入力されるバイアス電圧を使用するものとしたが、図３に示すように、ドライバＩＣ１ｂ内部に内部リファレンス電圧Ｖｔｈを設けるようにしても構わない。このとき、ドライバＩＣ１ｂにおいて、図１又は図２に示したバイアス端子２０ａが除かれるとともに、内部リファレンス電圧Ｖｔｈのアンプ２２ａの非反転入力端子への入力切り換えを行うスイッチＳＷ１が付加される。そして、ローディング動作を行うとき、マイコン２からコントロール端子２４入力されるコントロール信号によりスイッチＳＷ１がＯＮとされて内部リファレンス電圧Ｖｔｈがアンプ２２ａに供給され、又、ローディング動作を行わないとき、コントロール信号によりスイッチＳＷ１がＯＦＦとされて内部リファレンス電圧Ｖｔｈがアンプ２２ａに供給が停止される。
【００４１】
又、スレッドモータをローディング動作時にローディング機構に動力供給するために使用するものとしたが、スピンドルモータ８をローディング動作時に動力供給するために使用するようにしても構わない。このとき、スイッチＳＷがアンプ２２ａ，２２ｅの出力を選択してスピンドルドライバ２３ｅに与える。又、動力選択部１２によって、スピンドルモータ８の動力をローディング機構及び光ピックアップ１０の移動機構のいずれに伝達するか設定される。
【００４２】
尚、以上の説明では、光ディスク装置のみについて説明してきたが、磁気ディスクのような他のディスク装置の場合も同様に行うことができることは言うまでもない。
【００４３】
【発明の効果】
本発明によると、ローディング制御部及びデータ位置指定制御部それぞれに与えるバイアス電圧が入力される端子を第１及び第２バイアス入力端子として独立とするとともに、第１バイアス入力端子が主制御部から入力されるとともに、第２バイアス入力端子が信号処理回路から入力される。よって、ローディング動作を行うとき、信号処理回路を停止状態とすることができ、ディスク装置の消費電力を抑制することができる。又、ドライバ部が、データ位置指定機構に使用されるモータがローディング機構でも使用されるように駆動制御するため、ディスク装置を小型化することができる。
【図面の簡単な説明】
【図１】第１の実施形態のドライバＩＣを備えた光ディスク装置の内部構成を示すブロック図。
【図２】第２の実施形態のドライバＩＣを備えた光ディスク装置の内部構成の一例を示すブロック図。
【図３】第２の実施形態のドライバＩＣを備えた光ディスク装置の内部構成の別例を示すブロック図。
【図４】従来のドライバＩＣを備えた光ディスク装置の内部構成を示すブロック図。
【符号の説明】
１    ドライブＩＣ
２    マイコン
３    ＤＳＰ
４    ローディングモータ
５    フォーカスコイル
６    トラッキングコイル
７    スレッドモータ
８    スピンドルモータ
９    ＲＦアンプ
１０    光ピックアップ
１１    ディスク
【図１】
2004253081.tif 000003
【図２】
2004253081.tif 000004
【図３】
2004253081.tif 000005
【図４】
2004253081.tif 000006